(57)【要約】【課題】ツイストペア電線８を解して２本同時に直線成型が可能なＵ字溝７を含むツイストペア電線直線成型工具を提供する。【解決手段】ツイストペア電線８のシース９を切除してツイストペア電線８を解すと、シース９近傍に２本のツイスト電線８ａが接触した凸部８ｂが現れる。直線成型部７ｂに２本の凸部８ｂを落し込みながら直線成型器上板１と直線成型器下板２で押し潰して平面化したツイスト電線８ａにする。２本のツイスト電線８ａを引き出し口７ｃから引き出す際に、電線挿入口７ａの両壁面にぶつかり、外向きの凸部８ｂを内側に押さえ込む力が加わり、凸部８ｂが直線化されて直線成型部７ｂに挿入される。成型溝２ａに広げられた２本のツイスト電線８ａの接触した凸部８ｂが、成型溝２ａから電線挿入口７ａに挿入され、ツイスト電線８ａが移動方向１０の途中で必ずぶつかり、直線成型を助長する方向に働き、ツイストペア電線８が引き出し口７ｃより引き出される。【選択図】図７
2016119828.tif 000002
【特許請求の範囲】
【請求項１】
ツイストペア電線直線成型工具は、直線成型器上板（１）と直線成型器下板（２）、側面板（３）を含み、ツイスト電線（８ａ）を２本同時に直線成型が可能なＵ字溝（７）は、成型溝（２ａ）から電線挿入口（７ａ）、直線成型部（７ｂ）、引き出し口（７ｃ）を有した構成で直線成型器下板（２）にあり、電線挿入口（７ａ）は、Ｕ字溝（７）の中心線から同一角度で対称的に成型溝（２ａ）に広がり、直線成型部（７ｂ）にツイスト電線（８ａ）を２本同時に導きやすい形状を有し、電線挿入口（７ａ）から直線成型部（７ｂ）へツイスト電線（８ａ）が直線成形されながら引き出し口（７ｃ）へ向かうことで２本同時に直線成型ができることを特徴とするＵ字溝（７）を含むツイストペア電線直線成型工具。
【請求項２】
Ｕ字溝（７）の電線挿入口（７ａ）から成型溝（２ａ）への挿入角度は、Ｕ字溝（７）の中心線より同一角度でそれぞれ１４５度から１６５度以内で対称的に広がり、直線成型部（７ｂ）に２本のツイスト電線（８ａ）を同時に導き、挿入しやすく滑らかで擦り傷が付き難い形状を有していることを特徴とする請求項１に記載のＵ字溝（７）を含むツイストペア電線直線成型工具。
【請求項３】
２本のツイスト電線（８ａ）を引き出し口（７ｃ）から引き出す際に、２本のツイスト電線（８ａ）の外向きの凸部（８ｂ）が電線挿入口（７ａ）の両壁面にぶつかり、外向きの凸部（８ｂ）を押さえ込む力が両壁面で加わると同時に成型溝（２ａ）に広げられた２本のツイスト電線（８ａ）の接触した凸部（８ｂ）が、互いに成型溝（２ａ）から電線挿入口（７ａ）の途中でぶつかり、ツイスト電線８ａの凸部（８ｂ）が自ら直線成型を助長する方向に働きながら引き出し口（７ｃ）より取り出せることを特徴とする請求項１、２に記載のＵ字溝（７）を含むツイストペア電線直線成型工具。
【請求項４】
Ｕ字溝（７）の直線成型部（７ｂ）の長さは、ツイストピッチの長さの１／６から１／１０以内とし、直線成型部（７ｂ）の幅は、直線成型される２本のツイスト電線（８ａ）の直径を合算し、その値の０．９から１．２倍以内であることを特徴とする請求項１、２、３に記載のＵ字溝（７）を含むツイストペア電線直線成型工具。
【請求項５】
ツイスト電線（８ａ）を２本直線成型が可能なＵ字溝（７）と成型溝（２ａ）は、直線成型器上板（１）と直線成型器下板（２）が向かい合って接触する面に設置が可能であり、両面で対称となるＵ字溝（７）と成型溝（２ａ）の深さの合算値は、ツイスト電線（８ａ）の直径から１３０パーセント以内とし反比例の関係が成り立つことを特徴とする請求項１、２、４に記載のＵ字溝（７）を含むツイストペア電線直線成型工具。
【請求項６】
ツイスト電線（８ａ）２本の引き出し口（７ｃ）は、直線成型される２本のツイスト電線（８ａ）の中心を結ぶ中心線から円錐状になっており、円錐の面は内側に凸の放物線を描き、電線に対し滑らかで擦り傷が付き難い形状を有し、直線成型器上板（１）と直線成型器下板（２）で常に一対の関係にある請求項１、３に記載のＵ字溝（７）を含むツイストペア電線直線成型工具。
【発明の詳細な説明】
【技術分野】
【０００１】  ツイストペア電線８を解し、１回の作業でツイスト電線８ａを２本同時に直線成型ができるＵ字溝７を含む、ツイストペア電線直線成型工具に関するものである。
【背景技術】
【０００２】  ツイスト電線８ａの１本を直線成型可能なＵ字溝を含む工具として、本出願人のＬＡＮケーブル螺旋形状メタル電線の直線成型工具などが公知されている。（特許文献１に開示）
【先行技術文献】
【特許文献】
【０００３】
【特許文献１】  特許第５３３４０２７号
【発明の概要】
【発明が解決しようとする課題】
【０００４】  公知されている従来の形状では、一回の作業でツイスト電線８ａを１本しか直線成型ができませんでした。部品点数を増やして機構を複雑にすることでは、工具自体の大きさや重さにも影響を与えてしまうため、従来の直線成型工具の形状を維持し、２本同時に直線成型が可能で、大幅な作業時間の短縮が図れるＵ字溝７を設けた直線成型工具が求められていた。【０００５】  ツイストペア電線８の４組を８本のツイスト電線８ａに解し、隣接しないように八方に広げ、直線成型中に於いても他の電線を直線成型器上下板で挟み込んで、電線に傷を付けていました。広げる方向にも苦慮しており、それらを解決するためにツイストペア電線を４方向に広げて解し、１回に２本同時に直線成型ができる効率の良いＵ字溝７を有する直線成型工具が求められていた。【０００６】  公知されている直線成型工具の持ち方にも、Ｕ字溝が目視されていない状態では挿入が難しく、左右の手中で必ず直線成型器下板のＵ字溝と成型溝が見える位置に工具を持ち替える必要があり、使い勝手が悪く時間のロスにつながっていた。直線成型器上板１と直線成型器下板２のどちらの面でも使用が可能な方法が望まれていた。
【課題を解決するための手段】
【０００７】  ツイストペア電線８のシース９を剥ぎ取って、ツイスト電線８ａをシース９近傍まで解すと、シース９近傍にはツイスト電線８ａのツイストピッチの長さに関係なく、２本のツイスト電線８ａの凸部８ｂが接触する箇所が生まれる。（図６参照）【０００８】  図７のツイスト電線８ａの凸部８ｂを直線成型器下板２にあるＵ字溝７の直線成型部７ｂに収めながら、図４から図５のように直線成型器上板１と直線成型器下板２でツイスト電線８ａの２本を潰しながら閉じる。図７の直線成型器下板２の成型溝２ａには平面化されたサインカーブのある２本のツイスト電線８ａが広がり、直線成型部７ｂに凸部８ｂが収まった状態で直線成型器上板１との間で保持する。【０００９】  図１に示すように、２本のツイスト電線８ａが通過するＵ字溝７は、成型溝２ａから電線挿入口７ａ、直線成型部７ｂ、引き出し口７ｃで構成されており、ツイスト電線８ａを２本成型効果の得られる解決手段を下記に記載している。【００１０】  電線挿入口７ａは、Ｕ字溝７の中心線より同一角度でそれぞれ１４５度から１６５度以内で対称的に広がっており、ツイスト電線８ａが直線成型部７ｂに適宜挿入が可能な形状を有している。【００１１】  直線成型部７ｂの幅は、直線成型される２本のツイスト電線８ａの直径を合算し、その値の０．９から１．２以内とし、直線成型部７ｂの長さをツイストピッチの１／６から１／１０以内の長さを設ける。【００１２】  ツイスト電線８ａの引き出し口７ｃの形状は、２本のツイスト電線８ａの中心を結ぶ中心線から円錐状になっており、円錐の面は内側に凸の放物線を描き、電線に対し滑らかで擦り傷が付き難い形状を有している。【００１３】  図１のＵ字溝７と成型溝２ａは同一レベルとし、図２の直線成型器上板１にＵ字溝７と成型溝２ａを設けることが可能であり、図３にその形態を表しており、対面する直線成型器下板２のＵ字溝７と成型溝２ａの深さの合算値は、ツイスト電線８ａの直径から１３０パーセント以内とし反比例の関係が保たれている。
【発明の効果】
【００１４】  従来の直線成型工具のＵ字溝は、ツイスト電線８ａを１本しか直線成型ができなかった。このＵ字溝７は、部品点数を増して機構を複雑にする事もなく、ツイスト電線８ａを２本同時に直線成型が可能である。【００１５】  ２本のツイスト電線８ａを同時に直線成型ができることで、従来と比べて作業工程数が減り、加工品質の向上と安定化への効果がある。指先へのダメージも軽減して作業時間の短縮が可能となる。【００１６】  図７の電線挿入口７ａから２本のツイスト電線８ａの凸部８ｂは、対称的にぶつかりながら直線成型部７ｂに導かれる。この際、互いの凸部８ｂが線接触で押し合って直線成型を行う方向に作用し引き出し口７ｃへと導かれる。ツイスト電線８ａ同士の接触面は、１本用の面接触に対し２本用は線接触であり、従来の１本成型より擦り傷の発生が減少する効果がある。【００１７】  直線成型器上板１と直線成型器下板２へそれぞれ成型溝２ａとＵ字溝７を施すことが可能で、表裏の関係が無くなり工具の持ち方が自由になる。更に、成型溝２ａとＵ字溝７の設置場所を選ばないので、設置場所が多用化されて使い勝手と設置性が向上する。
【図面の簡単な説明】
【００１８】
【図１】直線成型器下板平面図とＵ字溝の拡大構成図
【図２】直線成型器上板平面図
【図３】直線成型器上板にＵ字溝と成型溝を設けた平面図
【図４】直線成型器上板と直線成型器下板を開いた状態の側面図
【図５】直線成型器上板と直線成型器下板を閉じた状態の側面図
【図６】ツイストペア電線を解した姿図
【図７】ツイストペア電線を解して直線成型器下板への挿入図
【図８】ツイストペア直線成型器でのツイストペア電線の成型状態図
【発明を実施するための形態】
【００１９】  ツイストペア電線直線成型工具は、ツイスト電線８ａを２本同時に同一作業面で直線成型ができる。少ない部品数で高効率な直線成型効果の実施が可能である。
【実施例１】
【００２０】  図１の直線成型器下板２には、Ｕ字溝７と成型溝２ａの深さを同一とし、２本成型用のＵ字溝７は電線挿入口７ａ、直線成型部７ｂ、引き出し口７ｃＵ字溝７で構成されている。Ｕ字溝７の中心線上の左右にマグネット６が配置され、側面の左右には支点用ネジ穴５ａが設けられている。【００２１】  図１のＵ字溝構成図面に於いて、電線挿入口７ａは、Ｕ字溝７の中心線から対称的にそれぞれ広がっており、ツイスト電線８ａの凸部８ｂを直線成型して直線成型部７ｂに挿入し易い角度を１４５度から１６５度を有した構造にしてある。【００２２】  図１の直線成型部７ｂの長さは、ツイスト電線８ａのツイストピッチの１／６から１／１０以内とし、Ｕ字溝７の幅は、直線成型される２本のツイスト電線８ａの直径を合算し、その値の０．９から１．２倍以内とする。【００２３】  図１の引き出し口７ｃは、直線成型されるツイスト電線８ａの中心点から円錐状で上側に凸の放物線状に広がる滑らかで擦り傷が付き難い形状を有している。【００２４】  図２の直線成型器上板１には、側面板３の固定用ネジ４穴があり、マグネット６が直線成型器下板２と対面する対称位置（図５参照）に同磁極で埋設され、マグネット６の近傍に直線成型器下板２と対になる引き出し口７ｃの一部が設けられている。【００２５】  図３は、直線成型器上板１の作業面にＵ字溝７と成型溝２ａを施すと、直線成型器上板１と直線成型器下板２で作業面の目視が可能となり、工具の向きや持ち方を気にしないで作業が可能である。【００２６】  図４は、直線成型器上板１の固定用ネジ４穴４ａへ固定用ネジ４で側面板３の取付けを行い、側面板３が可動できるように直線成型器下板２の支点用ネジ穴５ａに支点用ネジ穴５ａで締め付けて調整を行う。図５は、直線成型器上板１と直線成型器下板２の作業面を重ねた状態であり、ツイスト電線８ａを潰している状態を現している。【００２７】  図６に於いて、ツイストペア電線８を解して２本のツイスト電線８ａにし、直線成型器下板２の成型溝２ａに広げて置くとシース９の近傍には、必ず対称的に２本の電線同士が接する凸部８ｂが現れる。【００２８】  これらを速やかにＵ字溝７に導き入れるために、ツイスト電線８ａが接する面の角際は、滑らかな凸部仕様であり、直線成型器上板１と直線成型器下板２で押し潰すと直線成型部７ｂに２本のツイスト電線８ａが接触する凸部８ｂの挿入が可能となる。（図７参照）【００２９】  図７の直線成型部７ｂに凸部８ｂが挿入され、成型溝２ａに広がるツイスト電線８ａの２本を、図８の方向に引抜く（Ｐ）と、２本のツイスト電線８ａの外向き凸部８ｂが電線挿入口７ａの両壁面にぶつかり、２本のツイスト電線８ａを引き出し口７ｃから引き出す際に壁面から外向きの凸部８ｂを押さえ込む力が電線挿入口７ａの両壁面で加わりながら直線成型部７ｂに挿入される。【００３０】  成型溝２ａに広げられた２本のツイスト電線８ａの接触した凸部８ｂが互いに成型溝２ａから電線挿入口７ａの途中でぶつかる事により、電線の凹凸部を伸ばして直線成型を助ける方向に働きながら引き出し口７ｃよりツイストペア電線８が直線成型されて取り出せる。
【実施例２】
【００３１】  ツイスト電線８ａを２本同時に直線成型ができる図面１のＵ字溝７を含む設置場所は、工具の大きさや部品点数を増やして複雑な機構にする事もなく、従来の形状を維持しながらツイスト電線８ａを挟んで引出す構造を用いると従来のケーブルストリッパーやペンチ、手元工具の一部に組込むことが可能である。
【実施例３】
【００３２】  ツイスト電線８ａを２本成型用のＵ字溝７と成型溝２ａは、図２の直線成型器上板１にも製作が可能であり、（図３参照）直線成型器下板２の両方で対称的な使用が可能である。各対面するＵ字溝７と各対面する成型溝２ａの深さの合算値はツイスト電線８ａの直径の１３０パーセント以内とし反比例を保つことで、工具の向きや持ち方を気にしないで直線成型が可能な工具の提供ができる。
【実施例４】
【００３３】  ２本同時に直線成型ができるＵ字溝７を装備した工具は、非磁性体金属、合成樹脂等の材料での作成が可能である。
【符号の説明】
【００３４】１  直線成型器上板
２  直線成型器下板
２ａ  成型溝
３  側面板
４  固定用ネジ
４ａ固定用ネジ穴
５  支点用ネジ
５ａ支点用ネジ穴
６  マグネット
７  Ｕ字溝
７ａ  電線挿入口
７ｂ  直線成型部
７ｃ  引き出し口
８  ツイストペア電線
８ａ  ツイスト電線
８ｂ  凸部
９  シース
１０移動方向
【図１】
2016119828.tif 000003
【図２】
2016119828.tif 000004
【図３】
2016119828.tif 000005
【図４】
2016119828.tif 000006
【図５】
2016119828.tif 000007
【図６】
2016119828.tif 000008
【図７】
2016119828.tif 000009
【図８】
2016119828.tif 000010